(57)【特許請求の範囲】
【請求項１】
ボディと、
このボディに内蔵されており、前方位置と後方位置との間を移動しうる重錘と、
この重錘の前方位置を決定するストッパーとを備えており、
このストッパーが、上記ボディの外部から、前後方向の移動操作が可能であり、このストッパーの移動によって重錘の前方位置が変動しうるように構成されたルアー。
【請求項２】
上記ボディがストッパーを収容しうる複数の収容部を備えており、ストッパーが収容される収容部が変更されることによりこのストッパーが前後方向に移動しうる請求項１に記載のルアー。
【請求項３】
上記重錘が磁着性材料からなり、上記ストッパーが磁石からなる請求項１又は２に記載のルアー。
【請求項４】
上記重錘が磁石からなり、上記ストッパーが磁着性材料からなる請求項１又は２に記載のルアー。
【請求項５】
上記ボディが中空の軟質体を備えており、この軟質体に重錘が収容されており、収容部へのストッパーの収容によって軟質体が変形して重錘の移動が阻止されるように構成された請求項２に記載のルアー。
【請求項６】
上記ボディに対して前後方向に移動しうる棒体をさらに備えており、この棒体にストッパーが連結されており、この棒体の前後方向への移動によってストッパーが前後方向に移動しうるように構成された請求項１に記載のルアー。
【請求項７】
上記ボディに固定されたナットをさらに備えており、上記棒体の外周面に雄ネジが螺刻されており、この棒体がナットに螺入されており、この棒体の回転によってこの棒体が前後方向に移動しうる請求項５に記載のルアー。
【請求項８】
上記ボディに固定されたナットをさらに備えており、上記ストッパーがこのナットに螺入された棒体である請求項１に記載のルアー。
【発明の詳細な説明】
【技術分野】
【０００１】
本発明は、釣りに用いられるルアーに関する。詳細には、本発明は、重心移動式のルアーに関する。
【背景技術】
【０００２】
オオクチバス、ブリ及びその幼魚、スズキ等の大型の魚は、ベイトとして小魚を補食する。これら大型の魚は、フィッシュイーターと称されている。フィッシュイーターを捕獲する手段として、ルアーフィッシングが普及している。ルアーフィッシングでは、ルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。
【０００３】
釣り人が、ルアーを遠方へキャストしたいと望むことがある。前述のように、ルアーは空中を飛行する。飛行時には、ルアーは空気抵抗を受ける。空気抵抗の小さなルアーは、遠方へとキャストされうる。
【０００４】
前述のようにフィッシュイーターは、ルアーをベイトと勘違いすることによりこのルアーに食いつく。ルアーの水中姿勢やアクションは、フィッシュイーターの勘違いを誘うものである必要がある。
【０００５】
特開２００１−２９９１５４公報には、重心移動式のルアーが開示されている。このルアーでは、ボディに内蔵された重錘が前後方向に移動しうる。空中を飛行するとき、重錘は後側（つまりテール側）に位置する。換言すれば、飛行時のルアーの重心は、後寄りである。ルアーは、テールを先頭にして飛行する。この飛行姿勢における空気抵抗は小さいので、ルアーは遠方へとキャストされうる。着水後、磁石に引かれて重錘は前側へと移動する。水中では、重錘は前側に位置する。換言すれば、水中でのルアーの重心は、前寄りである。この重心位置は、好ましい水中姿勢に寄与する。
【０００６】
株式会社シマノが２００５年１月２８日に発行した「２００５  シマノフィッシングタックルカタログ」の第２４０頁には、重心移動式のエギ（すなわちルアー）が開示されている。このエギは、ボディに取り付けられたボルトと、このボルトが螺入された重錘とを備えている。重錘が回転させられることにより、この重錘は前後方向に移動しうる。重錘の移動により、エギの重心が移動する。この移動により、エギの水中姿勢が変動する。
【特許文献１】特開２００１−２９９１５４公報
【非特許文献１】「２００５  シマノフィッシングタックルカタログ」
【発明の開示】
【発明が解決しようとする課題】
【０００７】
特開２００１−２９９１５４公報に開示されたルアーでは、飛行時の重心位置と水中での重心位置とは異なる。しかし、水中での重心位置は一定である。換言すれば、このルアーでは、水中姿勢の変動は困難である。
【０００８】
「２００５  シマノフィッシングタックルカタログ」の第２４０頁に開示されたエギでは、水中での重心位置が変更されうる。しかし、この変更はキャスト前に釣り人によってなされる必要がある。釣り人が重心位置を設定した後は、キャスト時からリトリーブ完了まで、重心位置は一定である。水中姿勢及びアクションが重視された位置に重心が設定された場合、このエギの飛行姿勢は、空気抵抗の観点からは好ましいものではない。
【０００９】
本発明の目的は、好ましい飛行姿勢が得られ、かつ水中姿勢が変更されうるルアーの提供にある。
【課題を解決するための手段】
【００１０】
本発明に係るルアーは、ボディと、このボディに内蔵されており前方位置と後方位置との間を移動しうる重錘と、この重錘の前方位置を決定するストッパーとを備える。このストッパーは、前後方向に移動可能である。このストッパーの移動によって、重錘の前方位置が変動しうる。
【００１１】
好ましくは、ボディは、ストッパーを収容しうる複数の収容部を備える。ストッパーが収容される収容部が変更されることにより、このストッパーが前後方向に移動しうる。この重錘は磁着性材料からなり、ストッパーは磁石からなる。重錘が磁石からなり、ストッパーが磁着性材料からなってもよい。
【００１２】
好ましくは、ボディは中空の軟質体を備える。この軟質体に、重錘が収容される。このルアーでは、収容部へのストッパーの収容によって軟質体が変形し、重錘の移動が阻止される。
【００１３】
ルアーが、ボディに対して前後方向に移動しうる棒体をさらに備えてもよい。この棒体に、ストッパーが連結される。この棒体の前後方向への移動により、ストッパーが前後方向に移動しうる。好ましくは、ルアーは、ボディに固定されたナットをさらに備える。棒体の外周面には、雄ネジが螺刻される。この棒体は、ナットに螺入される。この棒体の回転により、この棒体が前後方向に移動しうる。
【００１４】
ルアーが、ボディに固定されたナットをさらに備えてもよい。このナットには、棒体が螺入される。この棒体が、ストッパーとして機能する。
【発明の効果】
【００１５】
本発明に係るルアーでは、飛行時は重錘が後方位置にある。重錘は、テールを先頭にして飛行する。このときの空気抵抗は、小さい。このルアーでは、大きな飛距離が得られる。着水後、重錘は前方位置へと移動する。重錘が前方位置にあるとき、適正な水中姿勢及び良好なアクションが達成されうる。このルアーでは、前方位置が変更されうる。前方位置の変更により、水中姿勢及びアクションが変更されうる。
【発明を実施するための最良の形態】
【００１６】
以下、適宜図面が参照されつつ、好ましい実施形態に基づいて本発明が詳細に説明される。
【００１７】
図１（ａ）は、本発明の一実施形態に係るルアー２が示された一部切り欠き断面図である。図１（ｂ）は、図１（ａ）のルアー２が示された底面図である。図１（ａ）において、左右方向はルアー２の前後方向であり、上下方向はルアー２の体高方向である。このルアー２は、ボディ４、磁石片６、重錘８、リップ１０、ラインアイ１２、２つのフックアイ１４及び２つのフック１６を備えている。フック１６の数は１でもよく、３以上でもよい。図１（ｂ）では、フック１６の図示が省略されている。
【００１８】
ボディ４は、ベイトである小魚に類似の外形を有する。典型的には、ボディ４は合成樹脂からなる。好ましい合成樹脂は、ＡＢＳ樹脂である。ボディ４が金属材料又は木質材料からなってもよい。ボディ４は、前後方向に延びるガイド室１８を備えている。ガイド室１８は、前側に向かって下側に傾斜している。ボディ４はさらに、第一収容部２０、第二収容部２２及び第三収容部２４を備えている。この３つの収容部２０、２２、２４は、所定間隔を隔てて前後方向に並んでいる。収容部２０、２２、２４は、中空である。収容部２０、２２、２４は、体高方向下寄りに位置している。収容部２０、２２、２４の数は２でもよく、４以上でもよい。
【００１９】
磁石片６は、板状である。図１の例では、磁石片６は第一収容部２０に収容されている。磁石片６は、第二収容部２２及び第三収容部２４にも収容されうる。収容部２０、２２、２４への磁石片６の収容は、磁石片６が収容部２０、２２、２４に差し込まれることで達成されている。磁石片６と収容部２０、２２、２４との摩擦力により、磁石片６は収容部２０、２２、２４から容易には脱抜しない。釣り人が磁石片６を引っ張ることにより、磁石片６が収容部２０、２２、２４から取り外されうる。磁石片６に突起が形成され、この突起と嵌り合う小穴が収容部２０、２２、２４に形成されてもよい。突起と小穴との嵌り合いにより、磁石片６の収容部２０、２２、２４からの脱抜がより確実に防止される。磁石片６に小穴が形成され、収容部２０、２２、２４に突起が形成されてもよい。磁石片６は、フェライト磁石、希土類磁石等からなる。大きな磁力が得られるとの観点から、希土類磁石が好ましい。希土類磁石の具体例としては、ネオジム磁石、サマリウム−コバルト磁石等が挙げられる。
【００２０】
重錘８は、ボディ４に内蔵されている。重錘８は、ガイド室１８に収容されている。この例では、ガイド室１８に１個の重錘８が収容されている。重錘８の数は２以上でもよい。重錘８の形状は、球である。重錘８の直径は、ガイド室１８の高さよりも若干小さい。重錘８は、ガイド室１８の中において前後方向に移動可能である。重錘８は、磁着性材料からなる。本発明において磁着性とは、磁石に吸着される性質を意味する。
【００２１】
リップ１０は板状であり、硬質材料からなる。リップ１０は、ボディ４の頭部の底面に取り付けられており、前方に張り出している。図１から明らかなように、リップ１０は前後方向に対して傾斜している。リップ１０は、前方に向かって体高方向下向きに傾斜している。ルアー２が水中を泳ぐとき、リップ１０の上面は水受け面となる。リップ１０が水を受けることにより、ルアー２が潜行する。リップ１０が形成されなくてもよい。
【００２２】
ラインアイ１２及びフックアイ１４は、金属線が曲げられることによって形成されている。金属線の端部は、ボディ４に埋設されている。この埋設により、ラインアイ１２及びフックアイ１４がボディ４に取り付けられている。ラインアイ１２には、直接に、又はスナップを介して、ラインが連結される。フックアイ１４を介して、フック１６がボディ４に取り付けられている。このフック１６は、いわゆるトレブルフックである。シングルフック、ダブルフック等が用いられてもよい。
【００２３】
このルアー２の飛行時には、重錘８は、遠心力及び慣性により、ガイド室１８の後端に存在する。本発明では、この位置が「後方位置」と称される。図１（ａ）では、後方位置にある重錘が、符号８’で示されている。重錘８’が後方位置にあるとき、ルアー２の重心は後寄りである。ルアー２は、テールを先頭にした姿勢で飛行する。このときの空気抵抗は、小さい。このルアー２では、大きな飛距離が得られる。
【００２４】
着水後、ガイド室１８が傾斜していることに起因して、重錘８は前方へと移動する。さらに重錘８は磁石片６に引き寄せられ、ガイド室１８の前端に至る。本発明では、この位置が「前方位置」と称される。図１（ａ）では、前方位置にある重錘８が実線で示されている。重錘８は磁力により、前方位置に固定される。水中でルアー２がアクションを起こしても、重錘８は移動しない。重錘８が前方位置にあるとき、飛行時に比べてルアー２の重心は前寄りである。この重心位置は、水中でのルアー２にとって適正な位置である。重心位置が適正であるルアー２は、水中で適正な姿勢を保つ。重心位置が適正であるルアー２がラインで引かれると、このルアー２は良好なアクションを起こす。このルアー２は、フィッシュイーターにアピールする。このルアー２が再度キャストされると、遠心力により重錘８は後方位置へと移動する。
【００２５】
前述の通り、このルアー２は３つの収容部２０、２２、２４を備えている。磁石片６が第二収容部２２に収容されているときは、後方位置から前方へ移動した重錘８は、磁力によってこの第二収容部２２の直上で停止する。重錘８のさらなる前進は、磁石片６によって阻止される。この場合は、第二収容部２２の直上が、前方位置である。磁石片６が第三収容部２４に収容されているときは、後方位置から前方へ移動した重錘８は、磁力によってこの第三収容部２４の直上で停止する。重錘８のさらなる前進は、磁石片６によって阻止される。この場合は、第三収容部２４の直上が、前方位置である。このルアー２では、磁石片６は、重錘８の前方位置を決定するストッパーである。このルアー２では、前方位置が３段階で変更されうる。換言すれば、水中でのルアー２の重心位置が３段階で変更されうる。３つの収容部２０、２２、２４のうち、磁石片６が収容されないものに、磁石片６と同等の形状を有するダミーが収容されてもよい。このダミーの比重は、磁石片６の比重よりも小さいことが好ましい。
【００２６】
図２は、図１のルアー２の使用状態が示された正面図である。この図２には、水中にあるルアー２が示されている。図２（ａ）では、磁石片６が第一収容部２０に収容されている。この磁石片６に引き寄せられることで、重錘８は第一収容部２０の直上に位置している。このときの重心位置は、前寄りである。図２（ａ）に示されるように、ルアー２は、ヘッド２６がテール２８よりも低い姿勢で水中に存在する。図２（ｂ）では、磁石片６が第三収容部２４に収容されている。この磁石片６に引き寄せられることで、重錘８は第三収容部２４の直上に位置している。このときの重心位置は、図２（ａ）に示された状態よりも後寄りである。図２（ｂ）に示されるように、ルアー２は、ほぼ水平な姿勢で水中に存在する。図２（ａ）に示された状態と図２（ｂ）に示された状態とでは、ラインが引かれたときのルアー２のアクションも異なる。図示されていないが、磁石片６が第二収容部２２に収容されている場合は、ルアー２は、図２（ａ）に示された状態と図２（ｂ）に示された状態との中間の姿勢をとる。このルアー２では、釣り人は、フィッシュイーターの種類、活性、気象条件、ベイトの種類等に応じ、適正な重心位置を選択することができる。
【００２７】
重心が大幅に変更されうるとの観点から、重錘８が高比重な磁着性材料からなることが好ましい。好ましい磁着性材料として、以下の成分を含む粉末が焼結されてなる合金が例示される。
（１）３質量％以上１５質量％以下のニッケル（Ｎｉ）
（２）４質量％以上１５質量％以下の鉄（Ｆｅ）
（３）５０質量％以上９３質量％以下のタングステン（Ｗ）
（４）不可避な不純物
この粉末の主成分は、Ｗである。Ｗの比重は大きいので、Ｗが用いられることにより比重の大きな重錘８が得られる。Ｗの比率は７０質量％以上が好ましく、８０質量％以上がより好ましく、８５質量％以上が特に好ましい。この重錘８では、Ｆｅ及びＮｉによって磁着性が発現される。
【００２８】
重錘８の特に好ましい材質として、以下の成分を含む粉末が焼結されてなる合金が挙げられる。
（１）３質量％以上１５質量％以下のニッケル（Ｎｉ）
（２）４質量％以上１５質量％以下の鉄（Ｆｅ）
（３）５０質量％以上９３質量％以下のタングステン（Ｗ）
（４）０．５質量％以上１０質量％以下のコバルト（Ｃｏ）又は銅（Ｃｕ）
（５）不可避な不純物
【００２９】
重錘８が磁石からなり、ストッパー６が磁着性材料からなってもよい。
【００３０】
図３（ａ）は、本発明の他の実施形態に係るルアー３０が示された一部切り欠き断面図である。図３（ｂ）は、図３（ａ）のルアー３０が示された底面図である。このルアー３０は、ボディ３２、磁石片３４、重錘８、リップ１０、ラインアイ１２、２つのフックアイ１４及び２つのフック１６を備えている。図３（ｂ）では、フック１６の図示が省略されている。重錘８、ラインアイ１２、フックアイ１４及びフック１６の形状及び材質は、図１に示されたルアー２のそれと同等である。
【００３１】
ボディ３２は、前後方向に延びるガイド室１８を備えている。ガイド室１８は、前側に向かって下側に傾斜している。ボディ３２はさらに、第一収容部３６、第二収容部３８及び第三収容部４０を備えている。この３つの収容部３６、３８、４０は、所定間隔を隔てて前後方向に並んでいる。収容部３６、３８、４０は、ボディ３２の底面から上方に向かって穿設された穴である。収容部３６、３８、４０の数は２でもよく、４以上でもよい。
【００３２】
磁石片３４は、円柱状である。図３の例では、磁石片３４は第一収容部３６に収容されている。磁石片３４は、第二収容部３８及び第三収容部４０にも収容されうる。収容部３６、３８、４０への磁石片３４の収容は、磁石片３４が収容部３６、３８、４０に差し込まれることで達成されている。磁石片３４と収容部３６、３８、４０との摩擦力により、磁石片３４は収容部３６、３８、４０から容易には脱抜しない。釣り人が磁石片３４を引っ張ることにより、磁石片３４が収容部３６、３８、４０から取り外されうる。磁石片３４の材質は、図１に示されたルアー２の磁石片６の材質と同等である。収容部３６、３８、４０の内周面に雌ネジが螺刻され、磁石片３４の外周面に雄ネジが螺刻されてもよい。
【００３３】
このルアー３０の飛行時には、重錘８は、ガイド室１８の後端（すなわち後方位置）に存在する。このときのルアー３０の重心は後寄りである。ルアー３０は、テールを先頭にした姿勢で飛行する。このときの空気抵抗は、小さい。このルアー３０では、大きな飛距離が得られる。
【００３４】
着水後、重錘８は前方位置へと移動する。このとき、磁石片３４がストッパーとして機能する。図１に示されたルアー２と同様、前方位置は磁石片３４の位置に依存する。このルアー３０では、磁石片３４の位置が３段階で変更されうるので、前方位置は３段階で変更されうる。従って、水中でのルアー３０の重心位置が３段階で変更されうる。重心位置の変更により、ルアー３０の水中姿勢が変動する。重心位置の変更により、ルアー３０のアクションも変動する。
【００３５】
重錘８が磁石からなり、ストッパー３４が磁着性材料からなってもよい。
【００３６】
図４は、本発明のさらに他の実施形態に係るルアーとしてのエギ４２が示された一部切り欠き断面図である。このエギ４２は、ボディ４４、ラインアイ１２、針部４６、磁石片４８及び重錘８を備えている。このエギ４２は、イカ釣りに用いられる。
【００３７】
ボディ４４の形状は、エビに類似している。ボディ４４は、前後方向に延びるガイド室１８を備えている。ボディ４４はさらに、第一収容部５０、第二収容部５２及び第三収容部５４を備えている。この３つの収容部５０、５２、５４は、所定間隔を隔てて前後方向に並んでいる。収容部５０、５２、５４は、ボディ４４の底面から上方に向かって穿設された穴である。収容部５０、５２、５４の数は２でもよく、４以上でもよい。
【００３８】
ラインアイ１２は、ボディ４４の前端に位置する。ラインアイ１２は、金属線が曲げられて形成されている。金属線の後端は、ボディ４４に埋め込まれており、ボディ４４に堅固に固定されている。針部４６は、軸５６、前針５８及び後針６０からなる。軸５６の前端は、ボディ４４に埋め込まれており、ボディ４４に堅固に固定されている。前針５８は、軸５６の途中から前方に向かって延びている。多数の前針５８が、放射状に配列されている。後針６０は、軸５６の後端から前方に向かって延びている。多数の後針６０が、放射状に配列されている。イカがエギ４２に抱きついたとき、イカの触手が前針５８又は後針６０に引っ掛かる。これにより、イカが釣り上げられる。
【００３９】
磁石片４８は、板状である。磁石片４８は、本体６２と、この本体の上方に位置する突出部６４とからなる。この突出部６４が収容部５０、５２、５４に差し込まれる。図４の例では、磁石片４８は第一収容部５０に収容されている。磁石片４８は、第二収容部５２及び第三収容部５４にも収容されうる。突出部６４と収容部５０、５２、５４との摩擦力により、磁石片４８は収容部５０、５２、５４から容易には脱抜しない。釣り人が磁石片４８を引っ張ることにより、磁石片４８が収容部５０、５２、５４から取り外されうる。磁石片４８の材質は、図１に示されたルアー２の磁石片の材質と同等である。
【００４０】
重錘８は、ボディ４４に内蔵されている。重錘８は、ガイド室１８に収容されている。この例では、ガイド室１８に１個の重錘８が収容されている。重錘８の数は２以上でもよい。重錘８の形状は、球である。重錘８の直径は、ガイド室１８の高さよりも若干小さい。重錘８は、ガイド室１８の中において前後方向に移動可能である。重錘８の材質は、図１に示されたルアー２の重錘８の材質と同等である。
【００４１】
このエギ４２の飛行時には、重錘８は、ガイド室１８の後端（すなわち後方位置）に存在する。このときのエギ４２の重心は後寄りである。エギ４２は、テールを先頭にした姿勢で飛行する。このときの空気抵抗は、小さい。このエギ４２では、大きな飛距離が得られる。
【００４２】
着水後、重錘８は前方位置へと移動する。このとき、磁石片４８がストッパーとして機能する。図１に示されたルアー２と同様、前方位置は磁石片４８の位置に依存する。このエギ４２では、磁石片４８の位置が３段階で変更されうるので、前方位置は３段階で変更されうる。従って、水中でのエギ４２の重心位置が３段階で変更されうる。重心位置の変更により、エギ４２の沈降姿勢が変動する。重心位置の変更により、エギ４２のアクションも変動する。
【００４３】
重錘８が磁石からなり、ストッパー４８が磁着性材料からなってもよい。
【００４４】
図５は、本発明のさらに他の実施形態に係るルアーとしてのエギ６６が示された一部切り欠き断面図である。このエギ６６は、ボディ６８、ラインアイ１２、針部４６、ナット７０、パッキン７２、棒体７４、ストッパー７６及び重錘７８を備えている。
【００４５】
ボディ６８は、前後方向に延びるガイド室１８を備えている。ガイド室１８は、前側に向かって下側に傾斜している。このガイド室１８に、重錘７８が収容されている。この例では、ガイド室１８に１個の重錘７８が収容されている。重錘７８の数は２以上でもよい。重錘７８の形状は、球である。重錘７８の直径は、ガイド室１８の高さよりも若干小さい。重錘７８は、ガイド室１８の中において前後方向に移動可能である。重錘７８は、高比重な材質からなる。重錘７８の材質としては、鋼が挙げられる。重錘７８が、Ｗ（タングステン）を主成分とする合金からなってもよい。重錘７８の材質は、磁着性である必要はない。
【００４６】
ナット７０及びパッキン７２は、ボディ６８に固定されている。このナット７０及びパッキン７２を、棒体７４が貫通している。ナット７０の内周面には、雌ネジが螺刻されている。棒体７４の外周面には、雄ネジが螺刻されている。棒体７４は、ナット７０に螺入されている。このストッパー７６は、板状である。このストッパー７６の上部は、ガイド室１８に至っている。ストッパー７６の下部は、棒体７４の前端に、ピン８０によって軸着されている。このピン８０は、棒体７４と一体的に回転する。回転のとき、ストッパー７６のピン穴とピン８０とはスリップする。ツマミ８２が回されることにより棒体７４が回転し、この棒体７４がナット７０に対して前後方向に移動する。この移動により、ストッパー７６が前後方向に移動する。図５では、最も先進した状態の棒体７４及びストッパー７６が実線で示されており、最も後退した状態の棒体７４及びストッパー７６が二点鎖線で示されている。
【００４７】
このエギ６６の飛行時には、重錘７８は、ガイド室１８の後端（すなわち後方位置）に存在する。このときのエギ６６の重心は後寄りである。エギ６６は、テールを先頭にした姿勢で飛行する。このときの空気抵抗は、小さい。このエギ６６では、大きな飛距離が得られる。
【００４８】
着水後、ガイド室１８が傾斜していることに起因して、重錘７８は前方へと移動する。重錘７８は、ストッパー７６に当接する。この当接により、重錘７８のさらなる前進が阻止される。本発明では、ストッパー７６に当接した重錘７８の位置が、「前方位置」と称される。図５では、前方位置にある重錘７８が実線で示されている。重錘７８が前方位置にあるとき、飛行時に比べてエギ６６の重心は前寄りである。この重心位置は、水中でのエギ６６にとって適正な位置である。重心位置が適正であるエギ６６は、水中で適正な姿勢を保つ。重心位置が適正であるエギ６６がラインで引かれると、このエギ６６は良好なアクションを起こす。このルアーは、イカにアピールする。
【００４９】
このエギ６６では、ストッパー７６の位置が無段階で変更されうる。従って、重錘７８の前方位置が無段階で変更され、エギ６６の重心位置が無段階で変更されうる。重心位置の変更により、エギ６６の沈降姿勢が変動する。重心位置の変更により、エギ６６のアクションも変動する。
【００５０】
重錘７８が磁着性材料からなり、ストッパー７６が磁石からなることが好ましい。これにより、エギ６６がアクションを起こしたときでも、前方位置にある重錘７８がストッパー７６から離れない。重錘７８が磁石からなり、ストッパー７６が磁着性材料からなってもよい。
【００５１】
このエギ６６では、回転によって棒体７４が移動するが、スライドによって棒体が移動してもよい。
【００５２】
図６は、本発明のさらに他の実施形態に係るルアーとしてのエギ８４が示された一部切り欠き断面図である。このエギ８４は、ボディ８６、ラインアイ１２、針部４６、ナット８８、パッキン９０、ストッパーとしての棒体９２及び重錘７８を備えている。
【００５３】
ボディ８６は、前後方向に延びるガイド室１８を備えている。ガイド室１８は、前側に向かって下側に傾斜している。このガイド室１８に、重錘７８が収容されている。ナット８８及びパッキン９０は、ボディ８６に固定されている。このナット８８及びパッキン９０を、棒体９２が貫通している。ナット８８の内周面には、雌ネジが螺刻されている。棒体９２の外周面には、雄ネジが螺刻されている。棒体９２は、ナット８８に螺入されている。棒体９２の先端９４は、ガイド室１８に至っている。ツマミ９６が回されることにより棒体９２が回転し、この棒体９２がナット８８に対して前後方向に移動する。これにより、先端９４の位置が無段階で変動する。図６では、最も前側に位置した棒体９２が実線で示されており、最も後側に位置した棒体９２が二点鎖線で示されている。
【００５４】
このエギ８４の飛行時には、重錘７８は、ガイド室１８の後端（すなわち後方位置）に存在する。このときのエギ８４の重心は後寄りである。エギ８４は、テールを先頭にした姿勢で飛行する。このときの空気抵抗は、小さい。このエギ８４では、大きな飛距離が得られる。
【００５５】
着水後、ガイド室１８が傾斜していることに起因して、重錘７８は前方へと移動する。重錘７８は、棒体９２の先端９４に当接する。この当接により、重錘７８のさらなる前進が阻止される。本発明では、先端９４に当接した重錘７８の位置が、「前方位置」と称される。図６では、前方位置にある重錘７８が実線で示されている。重錘７８が前方位置にあるとき、飛行時に比べてエギ８４の重心は前寄りである。この重心位置は、水中でのエギ８４にとって適正な位置である。重心位置が適正であるエギ８４は、水中で適正な姿勢を保つ。重心位置が適正であるエギ８４がラインで引かれると、このエギ８４は良好なアクションを起こす。このエギ８４は、イカにアピールする。
【００５６】
このエギ８４では、前述のように、先端９４の位置が無段階で変更されうる。従って、重錘７８の前方位置が無段階で変更され、エギ８４の重心が無段階で変更されうる。重心位置の変更により、エギ８４の沈降姿勢が変動する。重心位置の変更により、エギ８４のアクションも変動する。
【００５７】
重錘７８が磁着性材料からなり、棒体９２が磁石からなることが好ましい。これにより、エギ８４がアクションを起こしたときでも、前方位置にある重錘７８が棒体９２から離れない。重錘７８が磁石からなり、棒体９２が磁着性材料からなってもよい。
【００５８】
このエギ８４では、回転によって棒体９２が移動するが、スライドによって棒体が移動してもよい。
【００５９】
図７は、本発明のさらに他の実施形態に係るルアー９８が示された一部切り欠き断面図である。このルアー９８は、ボディ１００、ボルト１０２、重錘８、リップ１０、ラインアイ１２、２つのフックアイ１４及び２つのフック１６を備えている。重錘８、リップ１０、ラインアイ１２、フックアイ１４及びフック１６の形状及び材質は、図１に示されたルアー２のそれと同等である。
【００６０】
ボディ１００は、前後方向に延びる軟質体１０４を備えている。軟質体１０４は、ゴム、軟質合成樹脂等からなり、容易に変形しうる。軟質体１０４は、中空である。この軟質体１０４により、ガイド室１８が形成されている。ガイド室１８は、前後方向に延びている。ガイド室１８は、前側に向かって下側に傾斜している。重錘８は、軟質体１０４に収容されている。換言すれば、軟質体１０４はガイド室１８に収容されている。ボディ１００はさらに、第一収容部１０６及び第二収容部１０８を備えている。この２つの収容部１０６、１０８は、所定間隔を隔てて前後方向に並んでいる。収容部１０６、１０８は、ボディ１００の底面から上方に向かって穿設された孔である。孔は、軟質体１０４に至っている。収容部１０６、１０８の内周面には、雌ネジが螺刻されている。収容部１０６、１０８の数は、３以上でもよい。
【００６１】
ボルト１０２の外周面には、雄ネジが螺刻されている。このボルト１０２は、収容部１０６、１０８に螺入されうる。図７の例では、ボルト１０２は第一収容部１０６に収容されている。ボルト１０２の螺入により、第一収容部１０６の直上の軟質体１０４の底が押し上げられ、変形している。第一収容部１０６の直上において、ガイド室１８は狭い。第一収容部１０６の直上において、ガイド室１８の高さは重錘８の直径よりも小さい。
【００６２】
このルアー９８の飛行時には、重錘８は、ガイド室１８の後端（すなわち後方位置）に存在する。このときのルアー９８の重心は後寄りである。ルアー９８は、テールを先頭にした姿勢で飛行する。このときの空気抵抗は、小さい。このルアー９８では、大きな飛距離が得られる。
【００６３】
着水後、重錘８は前方位置へと移動する。前述のように、第一収容部１０６の直上においてガイド室１８が狭いので、この第一収容部１０６の手前で重錘８の移動が阻止され、重錘が停止する。このボルト１０２は、ストッパーとして機能する。第一収容部１０６ではなく第二収容部１０８にボルト１０２が螺入された場合は、重錘８はこの第二収容部１０８の手前で停止する。いずれの収容部１０６、１０８にもボルト１０２が螺入されない場合は、重錘８はガイド室１８の前端で停止する。このルアー９８では、前方位置は３段階で変更されうる。従って、水中でのルアー９８の重心位置が３段階で変更されうる。重心位置の変更により、ルアー９８の水中姿勢が変動する。重心位置の変更により、ルアー９８のアクションも変動する。
【００６４】
以上の説明は一例であり、本発明の趣旨の範囲内で種々の変更がなされうる。本発明に係るルアーには、前方位置を変更しうる種々のストッパーが採用されうる。
【産業上の利用可能性】
【００６５】
本発明に係るルアーは、湖沼、池、ダム、川、海等の種々のフィールドでの釣りに適している。
【図面の簡単な説明】
【００６６】
【図１】図１（ａ）は本発明の一実施形態に係るルアーが示された一部切り欠き断面図であり、図１（ｂ）はその底面図である。
【図２】図２は、図１のルアーの使用状態が示された正面図である。
【図３】図３（ａ）は本発明の他の実施形態に係るルアーが示された一部切り欠き断面図であり、図３（ｂ）はその底面図である。
【図４】図４は、本発明のさらに他の実施形態に係るルアーとしてのエギが示された一部切り欠き断面図である。
【図５】図５は、本発明のさらに他の実施形態に係るルアーとしてのエギが示された一部切り欠き断面図である。
【図６】図６は、本発明のさらに他の実施形態に係るルアーとしてのエギが示された一部切り欠き断面図である。
【図７】図７は、本発明のさらに他の実施形態に係るルアーが示された一部切り欠き断面図である。
【符号の説明】
【００６７】
２、３０、９８・・・ルアー
４、３２、４４、６８、８６、１００・・・ボディ
６、３４、４８・・・磁石片（ストッパー）
８、７８・・・重錘
１８・・・ガイド室
２０、３６、５０、１０６・・・第一収容部
２２、３８、５２、１０８・・・第二収容部
２４、４０、５４・・・第三収容部
４２、６６、８４・・・エギ（ルアー）
７０、８８・・・ナット
７４、９２・・・棒体
７６・・・ストッパー
１０２・・・ボルト
１０４・・・軟質体
【図１】
0004808508.tif 000002
【図２】
0004808508.tif 000003
【図３】
0004808508.tif 000004
【図４】
0004808508.tif 000005
【図５】
0004808508.tif 000006
【図６】
0004808508.tif 000007
【図７】
0004808508.tif 000008